(57)【要約】【課題】インターリーブされたページデータを記録するホログラム記録媒体を、大きなメモリの確保を必要とすることなく、データレートの低下を抑制して再生できるホログラム記録再生装置を提供する。【解決手段】ホログラム記録再生装置は、ページデータを生成する前に、記録情報のデータ配列を所定の取り決めにしたがって他の配列へと変換するデータ配列変換手段と、ホログラム記録媒体に参照光を照射することによって得られる再生光を受光して光電変換する複数の受光素子を有し、該複数の受光素子から出力される信号をランダムアクセスで読み出し可能な光検出手段と、を備える。そして、情報の再生時に光検出手段から信号を読み出すに際して、ページデータのデータ配列がデータ配列変換手段によって変換される前のデータ配列となる順番に光検出手段からの信号読み出しを行う。【選択図】図６
2008140485.tif 000002
【特許請求の範囲】
【請求項１】
参照光と、記録情報から生成されるページデータに応じて変調された信号光と、の干渉によって形成される干渉縞をホログラム記録媒体に記録し、前記干渉縞に参照光を照射してホログラム記録媒体の情報の再生を行うホログラム記録再生装置において、
前記ページデータを生成する前に、前記記録情報のデータ配列を所定の取り決めにしたがって他の配列へと変換するデータ配列変換手段と、
前記干渉縞に前記参照光を照射することによって得られる再生光を受光して光電変換する複数の受光素子を有し、前記複数の受光素子から出力される信号をランダムアクセスで読み出し可能なＭＯＳ型の固体撮像素子と、
を備え、
情報の再生時における前記ＭＯＳ型の固体撮像素子からの信号の読みしは、前記所定の取り決めに基づいて、前記ページデータのデータ配列が前記データ配列変換手段によって変換される前のデータ配列となるように行われることを特徴とするホログラム記録再生装置。
【請求項２】
参照光と、記録情報から生成されるページデータに応じて変調された信号光と、の干渉によって形成される干渉縞をホログラム記録媒体に記録し、前記干渉縞に参照光を照射してホログラム記録媒体の情報の再生を行うホログラム記録再生装置において、
前記ページデータを生成する前に、前記記録情報のデータ配列を所定の取り決めにしたがって他の配列へと変換するデータ配列変換手段と、
前記干渉縞に前記参照光を照射することによって得られる再生光を受光して光電変換する複数の受光素子を有し、前記複数の受光素子から出力される信号をランダムアクセスで読み出し可能な光検出手段と、
を備え、
情報の再生時における前記光検出手段からの信号の読みしは、前記所定の取り決めに基づいて、前記ページデータのデータ配列が前記データ配列変換手段によって変換される前のデータ配列となるように行われることを特徴とするホログラム記録再生装置。
【請求項３】
前記光検出手段は、ＭＯＳ型の固体撮像素子であることを特徴とする請求項２に記載のホログラム記録再生装置。
【請求項４】
インターリーブされたページデータを記録するホログラム記録媒体に参照光を照射することにより得られる再生光を、複数の受光素子を有する光検出手段で受光して情報の再生を行うホログラム記録媒体の再生方法であって、
前記複数の受光素子から出力される信号をランダムアクセスで読み出し可能に設け、
前記光検出手段から信号を読み出す際に、前記ページデータのデータ配列が前記インターリーブされる前のデータ配列となる順番で前記光検出手段からの信号読み出しを行うことを特徴とするホログラム記録媒体の再生方法。
【発明の詳細な説明】
【技術分野】
【０００１】
本発明は、ホログラムの記録及び再生を行うホログラム記録再生装置に関する。また、本発明は、ホログラム記録媒体の再生方法に関する。
【背景技術】
【０００２】
ホログラフィーを利用して記録媒体に情報を記録するホログラム記録が従来提案されている。ホログラム記録は、イメージ情報を持った信号光と参照光とを記録媒体の内部で重ね合わせ、そのときにできる干渉縞を記録媒体に書き込むことによって行われる。このホログラム記録は、記録媒体の同一位置（又は互いに重なる領域）に情報を多重に記録できるために、超高密度光記録が可能になるとされており注目を集めている。
【０００３】
ホログラム記録における多重記録の方式は、角度多重方式、波長多重記録方式、シフト多重方式、等の種々の方法が提案されているが、いずれの方式の場合も、空間光変調器によって与えられる多数の２次元データを同一位置（又は互いに重なる領域）に３次元的な情報として多重に記録するように構成される。そして、ホログラム記録では、１つの２次元データが記録の一単位となり、この２次元データのそれぞれがページデータと呼ばれる。
【０００４】
ところで、ホログラム記録媒体の再生時には、記録媒体に生じるディフェクトや光学系の収差等の様々な要因で記録媒体の再生時にエラーが発生する。このため、ホログラム記録媒体の記録時には、各ページデータに、本来の情報データで構成される複数ビットに誤り訂正符号としての冗長なビット（パリティ）が付与される。そして、誤り訂正符号を用いて再生時に発生するエラー訂正を行えるようにする。
【０００５】
しかし、記録媒体にディフェクト等が発生する場合等、１ページ内の集中した領域で情報再生時にエラーが発生し、エラー訂正能力の限界を超えてエラー訂正機能が機能しないという場合がある。更に、誤り訂正符号自体に欠陥が生じ、エラー訂正が適切に行われない可能性もある。
【０００６】
このような問題点等を考慮して、特許文献１や２に情報の欠落を抑える技術が紹介されている。これによると、ホログラム記録時にエラー訂正を行えるように誤り訂正符号を付与することに加えて、図７に示すように、１ページ内の記録データを所定の取り決めにしたがってばらばらに配置（インターリーブ）し、インターリーブしたページデータを記録媒体に記録することとしている。このようにすれば、局所的にディフェクトが発生した場合にも、再生時においてエラーが分散されるために再生時の情報の欠落を抑制できる。
【０００７】
なお、特許文献１にはこの点従来技術として示されているのみで具体的な構成については示されてない。また、図７は、ホログラム記録時において、１ページのデータがインターリーブされて記録媒体に記録される様子を模式的に示した図である。
【特許文献１】特開２００６−２２１７３６号公報
【特許文献２】特開２００６−１７９０７９号公報
【発明の開示】
【発明が解決しようとする課題】
【０００８】
しかしながら、記録媒体に情報を記録する際に、１つのページ内に記録されるデータをインターリーブして記録した場合においても、ページデータの読み出しは、通常、イメージセンサから図８に示すように行順に順次行われる（すなわち、図７の記録時のページデータがそのまま再現される）。そして、一旦、ページ全体のデータをメモリに保持し、インターリーブする前の元のデータ配列となるようにソート処理を行う必要がある。この点、特許文献２の構成も同様である。
【０００９】
この場合、ページ全体のデータを保持するために大きなメモリの確保が必要となるといった問題が発生する。また、ソート処理を行うための時間が必要となるために、再生時のデータレートが低下するといった問題も発生する。なお、図８は、ホログラム記録媒体の再生時において、ページデータの読み出しが行われる様子を模式的に示した図である。
【００１０】
以上の問題点を鑑みて、本発明の目的は、インターリーブされたページデータを記録するホログラム記録媒体を、大きなメモリの確保を必要とすることなく、データレートの低下を抑制して再生できるホログラム記録再生装置を提供することである。また、本発明の他の目的は、インターリーブされたページデータを記録するホログラム記録媒体を、大きなメモリの確保を必要とすることなく、データレートの低下を抑制して再生できるホログラム記録媒体の再生方法を提供することである。
【課題を解決するための手段】
【００１１】
上記目的を達成するために本発明は、参照光と、記録情報から生成されるページデータに応じて変調された信号光と、の干渉によって形成される干渉縞をホログラム記録媒体に記録し、前記干渉縞に参照光を照射してホログラム記録媒体の情報の再生を行うホログラム記録再生装置において、前記ページデータを生成する前に、前記記録情報のデータ配列を所定の取り決めにしたがって他の配列へと変換するデータ配列変換手段と、前記干渉縞に前記参照光を照射することによって得られる再生光を受光して光電変換する複数の受光素子を有し、前記複数の受光素子から出力される信号をランダムアクセスで読み出し可能なＭＯＳ型の固体撮像素子と、を備え、情報の再生時における前記ＭＯＳ型の固体撮像素子からの信号の読みしは、前記所定の取り決めに基づいて、前記ページデータのデータ配列が前記データ配列変換手段によって変換される前のデータ配列となるように行われることを特徴としている。
【００１２】
また、上記目的を達成するために本発明は、参照光と、記録情報から生成されるページデータに応じて変調された信号光と、の干渉によって形成される干渉縞をホログラム記録媒体に記録し、前記干渉縞に参照光を照射してホログラム記録媒体の情報の再生を行うホログラム記録再生装置において、前記ページデータを生成する前に、前記記録情報のデータ配列を所定の取り決めにしたがって他の配列へと変換するデータ配列変換手段と、前記干渉縞に前記参照光を照射することによって得られる再生光を受光して光電変換する複数の受光素子を有し、前記複数の受光素子から出力される信号をランダムアクセスで読み出し可能な光検出手段と、を備え、情報の再生時における前記光検出手段からの信号の読みしは、前記所定の取り決めに基づいて、前記ページデータのデータ配列が前記データ配列変換手段によって変換される前のデータ配列となるように行われることを特徴としている。
【００１３】
また、本発明は、上記構成のホログラム記録再生装置において、前記光検出手段は、ＭＯＳ型の固体撮像素子であることを特徴としている。
【００１４】
また、上記目的を達成するために本発明は、インターリーブされたページデータを記録するホログラム記録媒体に参照光を照射することにより得られる再生光を、複数の受光素子を有する光検出手段で受光して情報の再生を行うホログラム記録媒体の再生方法であって、前記複数の受光素子から出力される信号をランダムアクセスで読み出し可能に設け、前記光検出手段から信号を読み出す際に、前記ページデータのデータ配列が前記インターリーブされる前のデータ配列となる順番で前記光検出手段からの信号読み出しを行うことを特徴としている。
【発明の効果】
【００１５】
本発明の第１の構成によれば、ページデータを生成する前に、記録情報のデータ配列を所定の取り決めにしたがって変換することが可能である。このため、例えばホログラム記録媒体に局所的なディフェクト等があっても、データを再生できる確率が高くなる。
【００１６】
また、本発明のホログラム記録再生装置においては、再生光を受光する複数の受光素子を備える光検出手段が、受光素子から出力される信号にランダムアクセスで読み出し可能に設けられている。そして、光検出手段から信号を読み出す際に、データ配列変換手段によって変換されたデータを、所定の取り決めに基づいてデータ配列が変換される前の配列となるように光検出手段から読み出す構成となっている。この場合、一度光検出手段から読み出されたデータをメモリに蓄積し、ソート処理を行う必要がなくなる。また、光検出手段をＭＯＳ型の固体撮像素子としている。従って、大きなメモリの確保を必要とすることなく、データレートの低下を抑制して再生できるホログラム記録再生装置を容易に提供することが可能となる。
【００１７】
また、本発明の第２の構成によれば、ページデータを生成する前に、記録情報のデータ配列を所定の取り決めにしたがって変換することが可能である。このため、例えばホログラム記録媒体に局所的なディフェクト等があっても、データを再生できる確率が高くなる。
【００１８】
また、本発明のホログラム記録再生装置においては、再生光を受光する複数の受光素子を備える光検出手段が、受光素子から出力される信号にランダムアクセスで読み出し可能に設けられている。そして、光検出手段から信号を読み出す際に、データ配列変換手段によって変換されたデータを、所定の取り決めに基づいてデータ配列が変換される前の配列となるように光検出手段から読み出す構成としている。この場合、一度光検出手段から読み出されたデータをメモリに蓄積し、ソート処理を行う必要がなくなる。従って、大きなメモリの確保を必要とすることなく、データレートの低下を抑制して再生できるホログラム記録再生装置を提供することが可能となる。
【００１９】
また、本発明の第３の構成によれば、上記第２の構成のホログラム記録再生装置において、光検出手段をＭＯＳ型の固体撮像素子としているために、大きなメモリの確保を必要とすることなく、データレートの低下を抑制して再生できるホログラム記録再生装置を容易に実現できる。
【００２０】
また、本発明の第４の構成によれば、再生光を受光する複数の受光素子を備える光検出手段を、各受光素子から出力される信号にランダムアクセスで読み出し可能に設けて、光検出手段から信号を読み出す際に、ページデータのデータ配列がインターリーブされる前のデータ配列となる順番で光検出手段からの信号読み出しを行うようにしている。このために、一度光検出手段から読み出されたデータをメモリに蓄積し、ソート処理を行う必要がなくなる。従って、大きなメモリの確保を必要とすることなく、データレートの低下を抑制して再生できるホログラム記録媒体の再生方法を提供できる。
【発明を実施するための最良の形態】
【００２１】
以下、本発明の内容について実施形態を挙げ、図面を参照しながら詳細に説明する。ただし、ここで示す実施形態は一例であり、本発明はここに示す実施形態に限定されるものではない。
【００２２】
図１は、本発明のホログラム記録再生装置の実施形態を示す図で、ホログラム記録再生装置の構成を示すブロック図である。ホログラム記録再生装置１は、１つの光源からの１つの光束を信号光と参照光とに分け、これら信号光と参照光とを同一のレンズを通してホログラム記録媒体上に集光して情報の記録行う。また、ホログラム記録装置１は、参照光のみをホログラム情報が記録されたホログラム記録媒体上に照射して、ホログラム記録媒体の再生を行う。すなわち、ホログラム記録再生装置１は、いわゆるコリニア方式のホログラム記録再生装置である。
【００２３】
なお、以下ではコリニア方式のホログラム記録再生装置を実施形態として説明するが、本発明はコリニア方式のホログラム記録再生装置に限定されず、例えば２光束干渉方式のホログラム記録再生装置等、ホログラム記録媒体を記録再生する装置に広く適用できる。また、ここでは透過型のホログラム記録再生装置を例に示しているが、反射型のホログラム記録再生装置でも、本発明は適用可能である。
【００２４】
ホログラム記録再生装置１は、大きくは、光源から照射された光をホログラム記録媒体１００に照射して、ホログラム記録媒体１００への情報の書き込みと、ホログラム記録媒体１００からの情報の読み取りと、を可能とする光学系２と、外部からの記録情報をホログラム記録媒体１００に書き込み可能となるように処理する記録情報処理部３と、ホログラム記録媒体１００から読み出された再生情報を処理する再生情報処理部４と、各部を構成する要素の制御を適宜行い、全体を制御するＣＰＵ５と、から成る。
【００２５】
光学系２には、レーザ装置１１と、シャッタ１２と、空間光変調器（ＳＬＭ）１３と、対物レンズ１４と、集光レンズ１５と、光検出器１６と、が備えられる。レーザ装置１１は、Ｎｄ−ＹＡＧレーザであり、波長５３２ｎｍのレーザ光を出射する。なお、レーザ装置１１は、これに限らず、本発明の目的を逸脱しない範囲で種々の変更が可能である。すなわち、例えば装置自体を半導体レーザ等としても構わず、使用する波長についても適宜変更しても構わない。シャッタ１２は、レーザ装置１１から出射されたレーザ光を適宜遮断するためのものである。
【００２６】
空間光変調器１３は、記録時においては、入射光の中心部の光を、ページデータに応じて光強度変調された２次元の光強度変調パターンを有する信号光として取り出す。そして、入射光の外周部については、ページデータに応じた光強度変調を行わず、所定の光強度パターンを有する参照光として取り出す。図２は、空間光変調器１３を経たレーザ光の構成を模式的に示した図である。図２に示すように、空間光変調器１３を経たレーザ光は、その中心部に信号光１７が存在し、その周囲に参照光１８が存在する構成となる。
【００２７】
一方、空間光変調器１３は、再生時においては、信号光１７は消光し、レーザ光を取り出さないようにする。また、参照光１８は、記録時と同一のレーザ光を取り出すようにする。すなわち、再生時においては、光空間変調器１３によってドーナツ形状を有する参照光のみが取り出されることとなる。
【００２８】
なお、空間光変調器１３としては、磁気光学素子や液晶を用いて制御するデバイスや、いわゆるＤＭＤ（Digital Micromirror Device;登録商標）等が用いられる。
【００２９】
対物レンズ１４は、空間光変調器１３より送られてきた信号光及び参照光（記録時）、又は参照光（再生時）をホログラム記録媒体１００に集光する。そして、記録時においては、対物レンズ１４によってホログラム記録媒体１００に集光された信号光と参照光との干渉によって形成される干渉縞を、ホログラム記録媒体１００の情報記録層に書き込む。
一方、再生時においては、対物レンズ１４によってホログラム記録媒体１００に集光された参照光は、情報記録層に書き込まれた干渉縞によって回折作用を受け、ホログラム記録媒体１００から再生光として出射される。再生光は、集光レンズ１５を通して、光検出器１６に投影される。
【００３０】
光検出器１６は、再生光を受光して、再生光の光強度の空間分布を検出する。本実施形態においては、この光検出器１６はＣＭＯＳイメージセンサで構成されている。図３は、ＣＭＯＳイメージセンサ１６の概略構成を示す図である。ＣＭＯＳイメージセンサ１６は、マトリクス状に配置された受光素子５１と、受光素子５１を行単位で制御する垂直走査回路５２と、各列の複数個の受光素子５１に読み出し線５３を介して接続される複数個のスイッチ５４と、スイッチ５４を順次にオンに制御する水平走査回路５５と、出力アンプ５６と、から構成される。なお、受光素子５１は、図示しないフォトダイオードと電荷電圧変換回路とゲートスイッチとを備えている。
【００３１】
このＣＭＯＳイメージセンサ１６では、再生光が受光素子５１のフォトダイオードに入射されて光電変換され、得られた信号電荷が電荷電圧変換回路で電圧に変換され、更に垂直走査回路５２からの垂直走査パルスにより、受光素子５１のゲートスイッチが順次オンに制御される。また、これと並行して水平走査回路５５によりスイッチ５４が順次オンに制御される。そして、受光素子５１のゲートスイッチがオンで、且つスイッチ５４がオンである受光素子からの電圧が読み出し線５３及び出力アンプ５６を通じて画像信号として出力される。
【００３２】
上述のようにＣＭＯＳイメージセンサ１６は、各受光素子５１で電荷から電圧の変換を行う構成であるために、各受光素子５１から出力される信号をランダムアクセスで読み出し可能である。ホログラム記録再生装置１においては、この機能を用いてＣＭＯＳイメージセンサ１６から信号の読み出しを行う構成となっている。すなわち、受光素子５１が配列されるマトリックスに従って順番に読み出すのではなく、所定の取り決めに従って、複数の受光素子５１のいずれかに適宜アクセスして、ＣＭＯＳイメージセンサ１６からの信号の読み出しを行っている。この点の詳細については後述する。
【００３３】
次に、ホログラム記録再生装置１が備える記録情報処理部３について説明する。記録情報処理部３は、ＥＣＣエンコーダ２２とインターリーバ２３とを備えるＥＣＣエンコーディング部２１と、ＳＬＭドライバ２４と、から成る。
【００３４】
ＥＣＣエンコーディング部２１を構成するＥＣＣエンコーダ２２は、外部から入力されたメインデータを所定のエンコーディング方式によってエラー訂正符号化する。また、ＥＣＣエンコーディング部２１を構成するインターリーバ２３は、エラー訂正符号化したメインデータをインターリーブ処理する。インターリーブにより、エラー訂正効率を高めることが可能となる。なお、インターリーブとは、データをばらばらにしてエラーが分散するように配列させる所定の方式のことを指している。また、本発明に適用されるインターリーブの方式については特に限定されず、いずれの方式でも構わない。
【００３５】
ＳＬＭドライバ２４は、ＥＣＣエンコーディング部１から送られてきたデータに基づいて形成されたページデータに応じて空間光変調器（ＳＬＭ）１３を駆動する。なお、上述のように、空間光変調器１３はホログラム記録媒体１００を再生する場合にも作動するので、この場合にもＳＬＭドライバ２４は空間光変調器１３を適宜、駆動する。
【００３６】
次に、ホログラム記録再生装置１が備える再生情報処理部４について説明する。再生情報処理部４は、画像信号処理部３１とＥＣＣデコーダ３２と、から成る。画像信号処理部３１は、光検出器（ＣＭＯＳイメージセンサ）１６からの必要画像データの切り出し、および２値化処理を行う。ＥＣＣデコーダ３２は、２値化処理された信号データについてエラー訂正復号化処理を行う。
【００３７】
以上のように構成されるホログラム記録再生装置１によって、ホログラム記録媒体１００に情報を記録する場合のフローと、ホログラム記録媒体１００に記録された情報を再生するフローと、について図４、図５を用いて説明する。なお、図４はホログラム記録媒体１００に情報を記録する場合のフローを示すフローチャートで、図５はホログラム記録媒体１００に記録された情報を再生するフローを示すフローチャートである。
【００３８】
ます、図４を参照しながらホログラム記録媒体１００に情報を記録する場合について説明する。記録時においては、パソコン等の外部機器から、ホログラム記録再生装置１にユーザデータが入力される（ステップＳ１）。入力されたユーザデータは、ＥＣＣエンコーダ２２によってエラー訂正符号化される（ステップＳ２）。エラー訂正符号化された後、インターリーバ２３によってインターリーブ処理が行われ（ステップＳ３）、図７に示すように、原データ配列が所定の取り決めにしたがって変換され、原データ配列からデータ配列が変換されたページデータ（ページデータの数は１ページ以上）が生成される（ステップＳ４）。
【００３９】
なお、本実施形態においては、図７に示すようにインターリーブ処理によって、ページデータを構成する各データ（図７では、便宜的に番号を付して各データを区別して示している。）１つ１つが所定の取り決めにしたがってばらばらに分散される構成としている。しかし、この構成に限定される趣旨ではなく、インターリーブ処理によって複数個のデータ組みが所定の取り決めにしたがって分散される構成等としても構わない。
【００４０】
ページデータが生成されると、生成されたページデータに関する情報に基づいて、ＳＬＭドライバ２４は、空間光変調器１３が入射するレーザ光に対してページデータに応じた光強度変調を行えるように、空間光変調器１３を駆動する（ステップＳ５）。空間光変調器１３が駆動されると、レーザ装置１１からレーザ光が出射され、空間光変調器１３によって信号光１７と参照光１８（いずれも図２参照）とが取り出され、信号光１７と参照光１８とがホログラム記録媒体１００に照射される（ステップＳ６）。ホログラム記録媒体１００に照射された信号光１７と参照光１８とは干渉を起こして干渉縞を形成し、この干渉縞がホログラム記録媒体１００の情報記録層に書き込まれる。
【００４１】
１つのページデータが書き込まれると、記録予定の全てのページデータについて記録が行われた否かが確認される（ステップＳ７）。記録予定の全てのページデータの書き込みが終了していない場合には、ステップＳ２〜Ｓ７が繰り返される。一方、記録予定の全てのページデータの書き込みが終了の場合は、ホログラム記録媒体１００への情報の記録が終了する。なお、複数のページデータを書き込む場合には、ホログラム記録媒体１００は回転され、先の記録位置に対して記録位置をシフトさせて記録を行う。シフト量は、例えば１０μｍ程度で、スポットサイズ以下に設定される。
【００４２】
次に、図５を参照しながらホログラム記録媒体１００に記録された情報を再生する場合について説明する。なお、ホログラム記録媒体１００には、ホログラム記録再生装置１によってページデータがインターリーブ処理された状態で、情報の記録が行われている。
【００４３】
ホログラム記録媒体１００に記録される情報を再生する場合、レーザ装置１１からレーザ光が出射され、空間光変調器１３によって参照光１８のみが取り出される。そして、取り出された参照光１８がホログラム記録媒体１００に照射される（ステップＳ１１）。ホログラム記録媒体１００に参照光１８が照射されると、ホログラム記録媒体１００に記録される干渉縞によって参照光１８が回折されて再生光を生じる。再生光は光検出器（ＣＭＯＳイメージセンサ）１６に投影され、光検出器１６が有する複数の受光素子５１（図３参照）で光電変換される。そして、各受光素子５１で光電変換されて得られた出力信号が順次読み出される（ステップＳ１２）。
【００４４】
ここで光検出器１６は、上述のように各受光素子５１から出力される信号をランダムアクセスで読み出し可能である。このため、ホログラム記録再生装置１においては、光検出器１６からの信号の読み出しは、受光素子５１が配列される行あるいは列に従って順番に読み出す方法とされていない。すなわち、ホログラム記録媒体１００に情報を記録する際にインターリーバ２３によって所定の取り決めにしたがって配列変換されたデータ（図７参照）を、図６に示すように、原データ配列となるように、適宜、対応する受光素子５１にアクセスして信号の読み出しを行うようにしている。このため、従来のように光検出器１６から読み出されたページデータを、後にソート処理する必要がない。
【００４５】
なお、図６は、本実施形態のホログラム記録再生装置１において、再生時に光検出器１６から信号が読み出される順序を説明するための図である。図６のデータ列中に示す数字は、原データ列（図７参照）中の数字と対応している。
【００４６】
光検出器１６からの信号の読み出しに関する制御は、図１に示すＩＳコントローラ（イメージセンサコントローラ）４１によって行っている。ＩＳコントローラ４１は、ＣＰＵ１５によって制御されており、ＣＰＵ１５からインターリーバ２３によって行われるインターリーブの方式に関する情報を受け取り、これに基づいて光検出器１６からの信号読み出しの順番について制御する。
【００４７】
光検出器１６から読み出された情報については、画像信号処理部３１によって２値化処理等がなされる（ステップＳ１３）。２値化処理されたデータは、ＥＣＣデコーダ３２によってエラー訂正復号化処理が施され、ページデータの再生が行われる（ステップＳ１４）。この後、ホログラム記録媒体１００に記録される情報の再生を終了するか否かが確認される（ステップＳ１５）。情報の再生を終了しない場合には、次のページデータの再生を行うべく、ステップＳ１２〜Ｓ１５が繰り返される。一方、情報の再生を終了する場合には、レーザ装置１１から出射されるレーザ光がシャッタ１２によって遮断され再生が終了する。なお、次のページデータの再生を行う場合には、ホログラム記録媒体１００が回転される。
【００４８】
以上においては、ホログラム記録再生装置１によって情報が記録されたホログラム記録媒体１００の再生をする場合を示したが、必ずしもこれに限定されない。すなわち、インターリーブの方式に関する情報がわかれば、他のホログラム記録装置で記録されたホログラム記録媒体であっても本発明の方法で再生することも可能である。例えば、インターリーブの方式が同一仕様のホログラム記録装置で記録されたホログラム記録媒体や、ホログラム記録媒体にインターリーブの方式に関する情報が記録されているホログラム記録媒体等について、本発明のホログラム記録再生装置で再生することが可能である。
【００４９】
また、本実施形態においては、光検出手段１６をＣＭＯＳイメージセンサとしたが、必ずしもこれに限定される趣旨ではない。複数の受光素子を有し、受光素子において電荷から電圧への変換を行える光検出手段であればＣＭＯＳイメージセンサ以外であっても構わず、例えば、ＣＭＯＳイメージセンサ以外のＭＯＳ型の固体撮像素子等とすることが可能である。
【産業上の利用可能性】
【００５０】
本発明によれば、インターリーブされたページデータを記録するホログラム記録媒体を、大きなメモリの確保を必要とすることなく、データレートの低下を抑制して再生できる。したがって、ホログラム記録媒体の記録再生を行うホログラム装置の分野で有用である。
【図面の簡単な説明】
【００５１】
【図１】は、本実施形態のホログラム記録再生装置の構成を示すブロック図である。
【図２】は、本実施形態のホログラム記録再生装置が備える空間光変調器を経たレーザ光の構成を模式的に示した図である。
【図３】は、本実施形態のホログラム記録再生装置が備える光検出器（ＣＭＯＳイメージセンサ）の概略構成を示す図である。
【図４】は、本実施形態のホログラム記録再生装置で、ホログラム記録媒体に情報を記録する場合のフローを示すフローチャートである。
【図５】は、本実施形態のホログラム記録再生装置で、ホログラム記録媒体に記録されている情報を再生する場合のフローを示すフローチャートである。
【図６】は、本実施形態のホログラム記録再生装置において、再生時に光検出器から信号が読み出される順序を説明するための図である。
【図７】は、ホログラム記録時において、１ページのデータがインターリーブされて記録媒体に記録される様子を模式的に示した図である。
【図８】は、ホログラム記録媒体の再生時において、ページデータの読み出しが行われる様子を模式的に示した図である。
【符号の説明】
【００５２】
１          ホログラム記録再生装置
１６        光検出器（光検出手段）
１７        信号光
１８        参照光
２３        インターリーバ（データ配列変換手段）
５１        受光素子
１００      ホログラム記録媒体
【図１】
2008140485.tif 000003
【図３】
2008140485.tif 000004
【図４】
2008140485.tif 000005
【図５】
2008140485.tif 000006
【図６】
2008140485.tif 000007
【図７】
2008140485.tif 000008
【図８】
2008140485.tif 000009
【図２】
2008140485.tif 000010